(57)【要約】【課題】屋外で遠望できる照明演出を巨大パノラマスクリーンで大規模な映像スペクタクルとして実現させる大規模映像スペクタクル演出装置を提供する。【解決手段】支柱を巨大パノラマスクリーンを形成する配置で多数林立させる。各支柱には、三原色を発するＬＥＤユニットを高さ方向に間隔をあけて多数設置する。各支柱の下部に水銀灯が設置されている。各ＬＥＤユニット及び水銀灯は演出信号配信装置と結線されている。演出信号配信装置は、設定された音響・映像の信号等を取り込む演出再生部と、映像信号を変換部へ音響信号を音響出力装置へ配信する信号分配部と、映像信号を発光表示モードに変換する変換部と、変換された映像信号を各ＬＥＤユニットが発光可能な電圧に変圧させるＬＥＤ用変圧器とから成り、映像信号により文字等の広告や降雪映像オーロラ等の映像スペクタクルを発現させる。【選択図】図１
2004280024.tif 000002
【特許請求の範囲】
【請求項１】
屋外で遠望できる大規模な映像スペクタクル演出装置であって、
遠望に供し得る程度に背が高い支柱が、その下部を基礎盤に固定して、巨大パノラマスクリーンを形成する配置で垂直に多数林立する配置で設置されており、
各支柱には、三原色を発光する赤色チップＬＥＤ、緑色チップＬＥＤ、青色チップＬＥＤを組み合わせたＬＥＤユニットを、高さ方向に間隔をあけて多数設置され、
各支柱の下部に、支柱をアップライトする水銀灯が上向きに設置されており、
前記の各ＬＥＤユニット及び水銀灯は演出信号配信装置と結線されており、
前記演出信号配信装置は、設定された音響・映像の信号等を取り込む演出再生部と、前記映像信号を変換部へ、音響信号を音響出力装置へ配信する信号分配部と、前記映像信号を発光表示モードに変換する変換部と、前記変換された映像信号を各ＬＥＤユニットが発光可能な電圧に変圧させるＬＥＤ用変圧器とから成り、
前記映像信号によりＬＥＤユニット及び水銀灯の色彩の変化や明るさの強弱により照明演出を変化させて、文字等の広告や降雪映像、オーロラ等の映像スペクタクルを発現させることを特徴とする、大規模映像スペクタクル演出装置。
【請求項２】
巨大パノラマスクリーンを形成する支柱の前面側及び背面側にそれぞれ、三原色を発光する赤色チップＬＥＤ、緑色チップＬＥＤ、青色チップＬＥＤを組み合わせたＬＥＤユニットが設置されており、正面方向及び背面方向のそれぞれに映像スペクタクルが発現されることを特徴とする、請求項１に記載した大規模映像スペクタクル演出装置。
【請求項３】
各支柱の下部に設置された水銀灯に回転式カラーチェンジャーが取り付けられ、前記信号配信装置から送信される映像信号に応じて照度や色彩を変化させて支柱の全高を照らして映像スペクタクルの発現の一端を担うことを特徴とする、請求項１又は２に記載した大規模映像スペクタクル演出装置。
【請求項４】
ＬＥＤユニット及び水銀灯の色彩の変化や明るさの強弱を音響信号に応じて変化させて、照明演出と音響演出を連携させた映像スペクタクルを発現させることを特徴とする、請求項１〜３のいずれか一つに記載した大規模映像スペクタクル演出装置。
【請求項５】
赤色チップＬＥＤ、緑色チップＬＥＤ、青色チップＬＥＤを組み合わせたＬＥＤユニットを多数設置した支柱は、基礎盤上のパノラマスクリーン方向に平行な２列の配置で設置されていることを特徴とする、請求項１に記載した大規模スペクタクル演出装置。
【発明の詳細な説明】
【０００１】
【発明の属する技術分野】
この発明は、屋外で遠望できる照明演出を巨大パノラマスクリーンで大規模な映像スペクタクルとして安価に実現させると共に、音響演出と効果的に連携させて集客性を高める大規模映像スペクタクル演出装置の技術分野に属する。
【０００２】
【従来の技術】
従来から、照明演出装置としてＬＥＤユニットを使用した広告看板や大規模スクリーン等が繁華街等で多く見られる通り、既に実用に供されている。ビル等の高層建物の側壁面にＬＥＤユニットを使用した電光掲示板等で文字ニュースを横に走らせたり、映像を巨大スクリーンに表示させる方法等が実施されている。これらの照明演出は、多数のＬＥＤユニットを密に配置して構成されている。
【０００３】
特許文献１の発明に係る「サウンドイルミネーション装置」は、図１０に示すように、音響機器１０の所定箇所にスピーカ２０を取り付けて、マトリックス状に配置されたＬＥＤユニットの照明装置３０の照明演出と音響演出とを連動させ相関性のある多種多様なイルミネーションを行ない音響効果と視覚的効果の相乗効果を発揮させる。
【０００４】
【特許文献１】
特開２０００−２８５７０９号公報
【０００５】
【発明が解決しようとする課題】
従来の広告看板や大規模スクリーンは何れも、限られた狭い視界範囲でしか演出効果を発揮していない。商業施設やアミューズメント施設などが集客性を高め、ビジュアル的なアトラクションとしての効果を発揮するためには、数ｋｍも離れた場所からでも遠望でき、視覚に訴える照明演出を楽める巨大規模スケールで実施することが必要である。しかし、従来技術の構成では巨大規模スケールをもともと望み得ないし、仮に実現しようとすれば大変なコストが嵩み、メンテナンス等のアフターケアーも大変な作業となり、実施は至難である。
【０００６】
同様に特許文献１の「サウンドイルミネーション装置」も、照明演出と音響演出を連動させているが、図１０を見ると分かるように、数人が楽しむことができる程度の小規模な装置でしかない。
【０００７】
本発明の目的は、ＬＥＤユニットを設置した支柱により巨大パノラマスクリーンを形成して、例えば、降雪、オーロラ等の照明演出を大規模な映像スペクタクルとして安価に実現させて集客性を高めた、大規模映像スペクタクル演出装置を提供することにある。
【０００８】
本発明の次の目的は、大規模な照明演出と音響演出とを効果的に連携させて、視聴範囲内では視覚および聴覚に訴える映像スペクタクルを発現する、大規模映像スペクタクル演出装置を提供することにある。
【０００９】
【課題を解決するための手段】
上記従来技術の課題を解決するための手段として、請求項１に記載した発明に係る大規模映像スペクタクル演出装置は、
屋外で遠望できる大規模な映像スペクタクル演出装置であって、
遠望に供し得る程度に背が高い支柱が、その下部を基礎盤に固定して、巨大パノラマスクリーンを形成する配置で垂直に多数林立する配置で設置されており、
各支柱には、三原色を発光する赤色チップＬＥＤ、緑色チップＬＥＤ、青色チップＬＥＤを組み合わせたＬＥＤユニットを、高さ方向に間隔をあけて多数設置され、
各支柱の下部に、支柱をアップライトする水銀灯が上向きに設置されており、
前記の各ＬＥＤユニット及び水銀灯は演出信号配信装置と結線されており、
前記演出信号配信装置は、設定された音響・映像の信号等を取り込む演出再生部と、前記映像信号を変換部へ、音響信号を音響出力装置へ配信する信号分配部と、前記映像信号を発光表示モードに変換する変換部と、前記変換された映像信号を各ＬＥＤユニットが発光可能な電圧に変圧させるＬＥＤ用変圧器とから成り、
前記映像信号によりＬＥＤユニット及び水銀灯の色彩の変化や明るさの強弱により照明演出を変化させて、文字等の広告や降雪映像、オーロラ等の映像スペクタクルを発現させることを特徴とする。
【００１０】
請求項２に記載した発明は、請求項１に記載した大規模映像スペクタクル演出装置において、
巨大パノラマスクリーンを形成する支柱の前面側及び背面側にそれぞれ、三原色を発光する赤色チップＬＥＤ、緑色チップＬＥＤ、青色チップＬＥＤを組み合わせたＬＥＤユニットが設置されており、正面方向及び背面方向のそれぞれに映像スペクタクルが発現されることを特徴とする。
【００１１】
請求項３に記載した発明は、請求項１又は２に記載した大規模映像スペクタクル演出装置において、
各支柱の下部に設置された水銀灯に回転式カラーチェンジャーが取り付けられ、前記信号配信装置から送信される映像信号に応じて照度や色彩を変化させて支柱の全高を照らして映像スペクタクルの発現の一端を担うことを特徴とする。
【００１２】
請求項４に記載した発明は、請求項１〜３のいずれか一つに記載した大規模映像スペクタクル演出装置において、
ＬＥＤユニット及び水銀灯の色彩の変化や明るさの強弱を音響信号に応じて変化させて、照明演出と音響演出を連携させた映像スペクタクルを発現させることを特徴とする。
【００１３】
請求項５に記載した発明は、請求項１に記載した大規模映像スペクタクル演出装置において、
赤色チップＬＥＤ、緑色チップＬＥＤ、青色チップＬＥＤを組み合わせたＬＥＤユニットを多数設置した支柱は、基礎盤上のパノラマスクリーン方向に平行な２列の配置で設置されていることを特徴とする。
【００１４】
【発明の実施形態及び実施例】
以下、図面を参照して、請求項１〜５に記載した発明に係る大規模映像スペクタクル演出装置の実施形態を説明する。
【００１５】
本発明の大規模映像スペクタクル演出装置は、図１（Ａ）に示すように、屋外で遠望できるように、多数林立する背の高い支柱１…により巨大パノラマスクリーンを形成して実施される。図１では建物の屋上を基礎盤２に代用して実施されているが、この限りではなく、地面上に直接基礎盤を構築して実施することもできる。
【００１６】
前記支柱１は、遠望に値する程度の高さ、例えば１７ｍ〜２８ｍ程度の高さを有する。支柱１の下部は、図２、図３に示したように、基礎盤２へ固定金具３で固定して立てられている。具体的には、図３に示したように、支柱１に設けられた取付具３ａと、前記基礎盤２へボルト４により取り付けた支持金具３ｂとを、各々のウエブ及びフランジへ当てがったプレート３ｃを利用してボルト５とナット６により緊結して固定されている。
【００１７】
こうして各支柱１…は、図４に示すように、巨大パノラマスクリーンを形成する間隔Ｌと配置で垂直に多数林立されている。各支柱１、１の間隔Ｌは例えば２．５ｍ程度とされている。また、図１（Ａ）に示すような巨大パノラマスクリ−ン面をワイドスコープ画面の如き意匠効果を発揮するように形成するため、各支柱１…はその高さを順次変化させて林立されている。
【００１８】
図１（Ｂ）に示す実施例では、支柱１、１’は、基礎盤２上に、巨大パノラマスクリーンの長手方向に平行な２列の配置で設置されている（請求項５記載の発明）。勿論、１列の配置でも良いし、３列以上であっても良い。
【００１９】
各支柱１には、図５に示すように、赤（Ｒ）、緑（Ｇ）、青（Ｂ）の三原色を発光する赤色チップＬＥＤ７ａ、緑色チップＬＥＤ７ｂ、青色チップＬＥＤ７ｃを組み合わせたＬＥＤユニット７（Ｌｉｇｈｔ−Ｅｍｉｔｔｉｎｇ−Ｄｉｏｄｅ）が、図２に示すように、高さ方向に間隔をあけて多数設置されている。
【００２０】
前記ＬＥＤユニット７は、図６に示すように、支柱１の外周面に沿って前面側および背面側の上下方向に一定の間隔をあけた縦列の配置で設置されている。これにより、巨大パノラマスクリーンの前面側および背面側に同様の映像スペクタクルを発現することができる（請求項２記載の発明）。
【００２１】
支柱１へＬＥＤユニット７を設置する形態は、上記実施形態の限りではなく、本発明の大規模映像スペクタクル演出装置を実施する場所や映像内容、支柱１の配置に合わせた設置態様とされる。例えば、より立体的な映像スペクタクルを演出するために、図７（Ａ）に示すように、同じ高さの円周上に９０°の間隔で４個ずつの配置で設置することもできる。あるいは、図７（Ｂ）に示すように、支柱１の外周を高さ方向に螺旋状の配置で９０°ずつ向きを変えて設置することもできる。
【００２２】
各支柱１…の下部には、図２及び図３に示すように、同支柱１の全高をアップライトする水銀灯８が取付具９によって上向きに１：１の割合で設置されている。即ち、取付具９は支柱１と適切な間隔を保持するＬ字型形状とされ、その先端が水銀灯８の接合腕８ａとボルト１０で接合されている。基端は支柱１とボルト１１で接合して支柱１へ取り付けられている。前記水銀灯８の照明によってＬＥＤユニット７の発光だけでは不十分な照度、トーン、色模様等を補うことができる。
【００２３】
前記水銀灯８にはまた、回転式カラーチェンジャー１２を取り付けている（図３）。つまり、支柱１の全高を前記回転式カラーチェンジャー１２による鮮やかな色彩で照らして映像スペクタクル演出の多様性とカラフルさに寄与する（請求項３記載の発明）。
【００２４】
次に、上記支柱１…による巨大パノラマスクリーンに壮大な映像スペクタクルを発現させ又は演出する映像及び音響を配信する演出信号配信装置１００について説明する。
【００２５】
図８に示すように、前記の各ＬＥＤユニット７及び水銀灯８は演出信号配信装置１００と結線されている。
【００２６】
前記演出信号配信装置１００は、演出再生部１１０と、信号分配部１２０、変換部１３０、ＬＥＤ用変圧器１４０とから構成されている。
【００２７】
前記演出再生部１１０は、記憶装置１１１、出力装置１１２、入力装置１１３等から成る所謂スタンドアロン形式のパーソナルコンピュータで、予め設定された音響信号、映像信号を取り込み、その各信号を記憶装置１１１へ格納する。また、前記各信号を出力装置１１２によって確認することができる。そして、前記各信号を信号分配部１２０へ送信する。
【００２８】
前記信号分配部１２０は、前記演出再生部１１０から送信された各信号から、ＬＥＤユニット７の発光に応じた映像信号を変換部１３０へ、また、水銀灯８の発光に応じた映像信号を水銀灯８へ振り分けて送信する。更に、音響信号を音響出力装置１２１（スピーカー）へ送信する。前記音響出力装置１２１は、建物の周辺に多数設置して大規模な音響演出を行うことができる。勿論、前記信号分配部１２０から音響信号を電波で飛ばして、遠い場所からでも音響演出を発揮させることも可能である。
【００２９】
前記変換部１３０は、前記信号分配部１２０から送信された映像信号から発光表示モードに変換（信号化）する。そして、その変換した映像信号をＬＥＤ用変圧器１４０へ送信する。変換部１３０は記憶装置１３１、出力装置１３２、入力装置１３３、変換ボード１３４等から成る所謂スタンドアロン形式のパーソナルコンピュータで、発光表示モードに変換された映像信号を記憶装置１３１へ格納し、出力装置１３２でその内容を確認することができる。また、変換部１３０は、同変換部１３０一つに対して約７００個のＬＥＤユニットの映像信号を受信することができる。よって、使用するＬＥＤユニット７の個数に対応して変換部１３０の数も決定されることとなる。
【００３０】
前記ＬＥＤ用変圧器１４０は、前記変換部１３０から送信された、変換された映像信号をＬＥＤユニット７が発光可能な電圧へ変圧するものである。本実施形態では、２４Ｖに変圧される。また、前記ＬＥＤ用変圧器１４０は一個に対し、ＬＥＤユニット７の２５個を変圧できる。
【００３１】
上述した構成で、演出信号配信装置１００は、ＬＥＤユニット７及び水銀灯８の点滅、色彩の変化や明るさの強弱により照明演出を変化させて、例えば、図１（Ｂ）に示したような降雪映像、図９（Ａ）に示すような文字等の広告を横に走らせたり、あるいは、図９（Ｂ）に示したようなオーロラ等の幻想的な映像を演出する照明演出を壮大な映像スペクタクルとして発現させることができる。また、前記ＬＥＤユニット７及び水銀灯８による照明演出を音響信号に対応して変化させて、前記照明演出と音響演出とを効果的に連携させた映像スペクタクルを発現することができる。
【００３２】
したがって、遠くからでも視覚に訴える大規模な映像スペクタクルを巨大パノラマスクリーンで発現させるだけでなく、視聴範囲内では音響演出と共に楽しむことが可能であり、集客性を高めたビジュアル的なアトラクションとしての効果を期待できるのである。
【００３３】
以上に実施形態を図面に基づいて説明したが、本発明は、図示例の限りではなく、その技術思想を逸脱しない範囲において、当業者が通常に行う設計変更、応用のバリエーションの範囲を含むことを念のため言及する。例えば、他の実施形態として、支柱１、１’を円形状に配置したり、台形形状に配置することによって多種多様な映像スペクタクルを発現させることが可能である。また、支柱１、１’の形状を湾曲させて林立させることもできる。
【００３４】
【発明の奏する効果】
請求項１〜５に記載した発明に係る大規模映像スペクタクル演出装置によれば、ＬＥＤユニットを多数設置した支柱により巨大パノラマスクリーンを形成して、例えば、壮大なスケールで降雪、オーロラ等の映像スペクタクルを安価で実現するだけでなく、照明演出と音響演出とを効果的に連携させて、視聴範囲内では視覚および聴覚に訴えることにより、集客性を高めたビジュアル的なアトラクションとしての効果を期待することができる。
【図面の簡単な説明】
【図１】（Ａ）は本発明に係る大規模映像スペクタクル演出装置の実施形態を概略的に示した正面図である。（Ｂ）は支柱を前後に２列配置した実施形態を概略的に示した図である。
【図２】本発明に係る大規模映像スペクタクル演出装置の側面図である。
【図３】支柱の基礎盤への取付構造を示す部分拡大図である。
【図４】支柱の林立状態を示した部分拡大図である。
【図５】ＬＥＤユニットの構成を示した概略図である。
【図６】ＬＥＤユニットを正面側及び背面側に設置した場合の平面図および正面図である。
【図７】（Ａ）は高さ方向に水平に４個のＬＥＤユニットを配置した場合の平面図および正面図である。（Ｂ）は、高さ方向に螺旋状にＬＥＤユニットを配置した場合の平面図および正面図である。
【図８】演出信号配信装置の構成を概略的に示した図である。
【図９】（Ａ）は、巨大パノラマスクリーンに文字を発現させた一例を示す図である。（Ｂ）は、巨大パノラマスクリーンにオーロラ映像を発現させた一例を示す図である。
【図１０】従来技術のサウンドイルミネーション装置を示した図である。
【符号の説明】
１      支柱
２      基礎盤
７      ＬＥＤユニット
８      水銀灯
１００  演出信号配信装置
１１０  演出再生部
１２０  信号分配部
１３０  変換部
１４０  ＬＥＤ用変圧器
【図１】
2004280024.tif 000003
【図２】
2004280024.tif 000004
【図３】
2004280024.tif 000005
【図４】
2004280024.tif 000006
【図５】
2004280024.tif 000007
【図６】
2004280024.tif 000008
【図７】
2004280024.tif 000009
【図８】
2004280024.tif 000010
【図９】
2004280024.tif 000011
【図１０】
2004280024.tif 000012